(57)【要約】      （修正有）【課題】メンテナンス性に優れたヘッドボックスを提供する。【解決手段】ヘッドボックスにおいては、断面Ｕ字状の凹空間ＳＰを形成するため、互いに対向配置された２つの側壁部１１、１２と当該２つの側壁部１１、１２の間に配置された１つの壁部とを有する本体と、２つの側壁部１１、１２において側壁部１１、１２の長手方向に沿って互いに平行かつ対向配置されてそれぞれ延びる係合部１１ｍ、１２ｍと、係合部１１ｍ、１２ｍに嵌め込まれて取り付けられ、基板２２の端部を挟持する凹溝が形成された基板固定部材３０とを備える。【選択図】図１
2019178543.tif 000002
【特許請求の範囲】
【請求項１】
断面Ｕ字状の凹空間を形成するため、互いに対向配置された２つの側壁部と当該２つの側壁部の間に配置された１つの壁部とを有する本体と、
前記２つの側壁部において前記側壁部の長手方向に沿って互いに平行かつ対向配置されてそれぞれ延びる係合部と、
前記係合部に嵌め込まれて取り付けられ、基板の端部を挟持する凹溝が形成された基板固定部材と
を備えるヘッドボックス。
【請求項２】
前記基板固定部材には、２種類の幅の前記基板を挟持することが可能な２種類の幅の前記凹溝が形成されている
請求項１に記載のヘッドボックス。
【請求項３】
前記基板固定部材は、２種類の幅の前記凹溝が上下に配置された状態で形成されている
請求項２に記載のヘッドボックス。
【請求項４】
前記基板固定部材は、２種類の幅の前記凹溝が当該基板固定部材の一方の端部および他方の端部にそれぞれ形成されている
請求項２に記載のヘッドボックス。
【請求項５】
前記基板固定部材は、一方の端部または他方の端部に所定範囲の幅を有する前記基板を挟持可能な前記凹溝が形成されている
請求項１に記載のヘッドボックス。
【発明の詳細な説明】
【技術分野】
【０００１】
本発明は、基板固定構造を有するヘッドボックスに関し、特に、カーテンの昇降を電動で制御する電動部品（基板等）を固定する基板固定構造を有するへッドボックスに関する。
【背景技術】
【０００２】
従来、モータの駆動によって昇降動作が行われる電動ブラインド、ローマンシェード、プリーツスクリーン等のカーテン類に用いられるヘッドボックスの内部には、電源、モータ、巻取ドラム、シャフト等の様々な部品が収容されている。
【０００３】
このヘッドボックスから垂下される昇降コードに対してカーテンやルーバー等が連結され、モータの駆動によりカーテンやルーバーが昇降コードとともに上昇や回転することによりカーテンの上げ下げやルーバーの回転が行われている。
【０００４】
また、ヘッドボックスにおいては、下方が開口したタイプ（以下、これを「下開口タイプ」という。）のヘッドボックス（例えば、特許文献１を参照。）と、上方が開口したタイプ（以下、これを「上開口タイプ」という。）のヘッドボックス（例えば、特許文献２を参照。）が存在する。
【０００５】
下開口タイプのヘッドボックスでは、そのヘッドボックスの内部の天井面に電源基板や制御基板が取り付けられて収容され、かつ、ヘッドボックスの内部であって電源基板や制御基板の下方に、モータと連結されて回転可能に軸支されたシャフトが設けられている。
【０００６】
上開口タイプのヘッドボックスでは、そのヘッドボックスの内部の床面に電源基板や制御基板が取り付けられて収容され、かつ、ヘッドボックスの内部であって電源基板や制御基板の上方に、モータと連結されて回転可能に軸支されたシャフトが設けられている。
【先行技術文献】
【特許文献】
【０００７】
【特許文献１】特開２０１６−１４２０００号公報
【特許文献２】特開２００５−２３０２８９号公報
【発明の概要】
【発明が解決しようとする課題】
【０００８】
このような上述した下開放タイプおよび上開放タイプのヘッドボックスでは、配置の関係上、内部に設けられたシャフトを取り外さなければ電源基板や制御基板を交換することができず、メンテナンス性に劣っていた。
【０００９】
本発明は、上記の課題に鑑みなされたものであり、その目的は、メンテナンス性に優れた基板固定構造を有するヘッドボックスを提供することである。
【課題を解決するための手段】
【００１０】
上記目的を達成するために、本発明の基板固定構造を有するヘッドボックスは、断面Ｕ字状の凹空間を形成するため、互いに対向配置された２つの側壁部と当該２つの側壁部の間に配置された１つの壁部とを有する本体と、前記２つの側壁部において前記側壁部の長手方向に沿って互いに平行かつ対向配置されてそれぞれ延びる係合部と、前記係合部に嵌め込まれて取り付けられ、基板の端部を挟持する凹溝が形成された基板固定部材とを備える。
【００１１】
本発明において、前記基板固定部材には、２種類の幅の前記基板を挟持することが可能な２種類の幅の前記凹溝が形成されていることが好ましい。
【００１２】
本発明において、前記基板固定部材は、２種類の幅の前記凹溝が上下に配置された状態で形成されていることが好ましい。
【００１３】
本発明において、前記基板固定部材は、２種類の幅の前記凹溝が当該基板固定部材の一方の端部および他方の端部にそれぞれ形成されていることが好ましい。
【００１４】
本発明において、前記基板固定部材は、一方の端部または他方の端部に所定範囲の幅を有する前記基板を挟持可能な前記凹溝が形成されていることが好ましい。
【発明の効果】
【００１５】
本発明によれば、基板を交換する際のメンテナンス性を向上し得る基板固定構造を有するヘッドボックスを実現することができる。
【図面の簡単な説明】
【００１６】
【図１】本発明の第１の実施の形態に係る基板固定構造を有するヘッドボックスの全体構成を示す斜視図である。
【図２】本発明の第１の実施の形態に係る基板固定構造を有するヘッドボックスの内部に収容されている部品の配置関係を示す斜視図である。
【図３】本発明の第１の実施の形態に係るヘッドボックス本体の構成を示す断面図である。
【図４】第１の実施の形態における基板保持装置の構成を示す断面図および平面図である。
【図５】第１の実施の形態において基板が基板保持装置によって保持されていない状態を示す平面図である。
【図６】第１の実施の形態において基板が基板保持装置によって保持された状態を示す断面図である。
【図７】第１の実施の形態において基板保持装置がヘッドボックス本体に取り付けられた状態を示す断面図である。
【図８】第２の実施の形態において基板が基板保持装置によって保持された状態を示す平面図および断面図である。
【図９】第３の実施の形態において基板が基板保持装置によって保持された状態を示す平面図および断面図である。
【図１０】第４の実施の形態において基板が基板保持装置によって保持された状態を示す平面図である。
【発明を実施するための形態】
【００１７】
＜第１の実施の形態＞
以下、本発明の第１の実施の形態について、図面を参照しながら具体的に説明する。図１は、本発明の第１の実施の形態に係る基板固定構造を有するヘッドボックスの全体構成を示す斜視図である。図２は、本発明の第１の実施の形態に係る基板固定構造を有するヘッドボックスの内部に収容されている部品の配置関係を示す斜視図である。図３は、本発明の第１の実施の形態に係るヘッドボックス本体の構成を示す断面図である。図４は、第１の実施の形態における基板保持装置の構成を示す断面図および平面図である。図５は、第１の実施の形態において基板が基板保持装置によって保持されていない状態を示す平面図である。図６は、第１の実施の形態において基板が基板保持装置によって保持された状態を示す断面図である。図７は、第１の実施の形態において基板保持装置がヘッドボックス本体に取り付けられた状態を示す断面図である。
【００１８】
ここでは、説明の便宜上、図１乃至図３において、基板固定構造を有するヘッドボックス１の長手方向を矢印ａｂ方向とし、蓋部１４に向かう図中左側を矢印ａ方向とし、蓋部１５に向かう図中右側を矢印ｂ方向とする。
【００１９】
また、ヘッドボックス１の奥行方向を矢印ｃｄ方向とし、たとえば室内空間の窓側を矢印ｃ方向とし、室内空間の部屋側を矢印ｄ方向とする。さらに、ヘッドボックス１の床面に対する上下方向を矢印ｅｆ方向とし、上側すなわちカーテンが巻き上げられる方向を矢印ｅ方向とし、下側すなわちカーテンが巻き下げられる方向を矢印ｆ方向とする。
【００２０】
＜ヘッドボックスの全体構成＞
図１乃至図３に示すように、基板固定構造を有するヘッドボックス（以下、これを単に「ヘッドボックス」ともいう。）１は、互いに対向配置された２つの側壁部１１、１２と、その２つの側壁部１１、１２の間に配置された１つの壁部１３（図３）とにより断面逆Ｕ字状の凹空間ＳＰを有する下開口タイプのヘッドボックス本体１０と、ヘッドボックス本体１０の長手方向における両端から凹空間ＳＰを塞ぐように取り付けられた矩形板状の蓋部１４、１５とを備えている。ただし、ヘッドボックス本体１０は、下開口タイプに限らず、上開口タイプとして用いることもできる。
【００２１】
図３に示すように、ヘッドボックス本体１０の側壁部１１、１２は、互いに同一構成であり、かつ、鏡面対象となるように互いに平行に配置され、ヘッドボックス本体１０の側壁を形成している。
【００２２】
ヘッドボックス本体１０の壁部１３は、側壁部１１、１２の上側（矢印ｅ方向）の端部において側壁部１１および１２と一体に結合されており、ヘッドボックス本体１０の天井壁を形成している。
【００２３】
ここで、側壁部１１、１２の互いに対向した内周面１１ａ、１２ａには、下側（矢印ｆ方向）の端部に後述する基板固定部材３０を係合して取り付けるための係合部１１ｍ、１２ｍが蓋部１４、１５の間を長手方向に沿って形成されている。
【００２４】
係合部１１ｍおよび係合部１２ｍは、同一構造であり、互いに対向するように突出した上側挟持片１１１ｕおよび１１２ｕを有している。また、係合部１１ｍおよび係合部１２ｍは、上側挟持片１１１ｕおよび１１２ｕよりも下側（矢印ｆ方向）であって、上側挟持片１１１ｕおよび１１２ｕから所定距離だけ離れた位置に形成されて互いに対向するように突出した下側挟持片１１１ｄおよび１１２ｄを備えている。
【００２５】
特に、下側挟持片１１１ｄおよび１１２ｄにおいては、その先端が上側（矢印ｅ方向）に向かって折り曲げられた係合片１１１ｄｔおよび１１２ｄｔが形成されている。これら係合片１１１ｄｔおよび１１２ｄｔは、基板固定部材３０と係合される。
【００２６】
図１および図２に示すように、ヘッドボックス本体１０の凹空間ＳＰには、左側（矢印ａ方向）から順番に、巻取ドラム２１、電源基板２２、制御基板２３、センサ部品２４、巻取ドラム２５、モータ２６、および、巻取ドラム２７が収容されている。
【００２７】
巻取ドラム２１、２５、２７は、図示しないカーテン等を巻き上げたり、巻き下げたりするドラムであり、ヘッドボックス本体１０の左右両端部および中央部に配置されている。センサ部品２４は、カーテンの巻き取り位置等を検出するための種々のセンサが収容されている。モータ２６は、巻取ドラム２１、２５、２７を回転駆動させる駆動源である。
【００２８】
なお、モータ２６にはシャフト２８が貫通して取り付けられており、巻取ドラム２１、２５、２７と連結されている。因みに、ヘッドボックス本体１０の凹空間ＳＰに収容される部品としてはこれらに限るものではなく、その他種々の部品がさらに収容されていてもよい。
【００２９】
電源基板２２および制御基板２３は、薄板状の矩形状を有するプリント基板であり、その上側（矢印ｅ方向）の面２２ｕ、２３ｕには各種の電子部品（図示せず）が半田付け等により取り付けられている。
【００３０】
電源基板２２および制御基板２３は、基板としての形状や厚さは互いに同一であるため、ここでは、電源基板２２を対象として以下説明する。電源基板２２は、平面視矩形状、この場合は長方形状の薄板状のプリント基板であり、２つの基板固定部材３０の間に配置された状態において、長手方向の一端部および他端部が２つの基板固定部材３０によってそれぞれ保持されている。
【００３１】
基板固定部材３０は、ヘッドボックス本体１０の側壁部１１の係合部１１ｍ、および、側壁部１２の係合部１２ｍに係合されて取り付けられる（図７参照。）。すなわち、電源基板２２は、基板固定部材３０を介してヘッドボックス本体１０の側壁部１１、１２の下側（矢印ｆ方向）の端部に取り付けられる。
【００３２】
＜基板固定部材＞
図４（Ａ）および（Ｂ）に示すように、基板固定部材３０は、ヘッドボックス１に電源基板２２および制御基板２３を固定する基板固定構造体であり、２個で１セットの部品であり、互いに同一構造を有している。
【００３３】
基板固定部材３０は、平面視において奥行方向（矢印ｃｄ方向）が長手方向となる略直方体形状を有する基体部３１と、その基体部３１の長手方向であり奥行方向となる矢印ｃｄ方向（ヘッドボックス本体１０では短手方向）の両側端部には、側壁部１１、１２の係合部１１ｍ、１２ｍに係合される被係合部３３、３５とを備えている。
【００３４】
被係合部３３、３５は、基体部３１の奥側（矢印ｃ方向）および手前側（矢印ｄ方向）の端縁を基体部３１の左側（矢印ａ方向）の端部から右側（矢印ｂ方向）の端部にかけて延びる部分であり、基体部３１と一体に設けられている。
【００３５】
この被係合部３３、３５は、下側（矢印ｆ方向）の面である下面３３ｂ、３５ｂを有し、その下面３３ｂ、３５ｂから更に下側（矢印ｆ方向）へ向かって突出するように形成された被係合突起３３ｐ、３５ｐが設けられている。
【００３６】
また、基体部３１は、その長手方向であり奥行方向となる矢印ｃｄ方向（ヘッドボックス本体１０では短手方向）の両側端部であって、被係合部３３、３５よりも内側の領域に挿通孔３１ｈ、３１ｈがそれぞれ形成された取付部３７、３９を有している。なお、取付部３７、３９は、あくまで基体部３１の一部分である。
【００３７】
取付部３７、３９では、貫通孔からなる挿通孔３１ｈ、３１ｈを有し、その挿通孔３１ｈ、３１ｈ介して挿通される雄ネジＢ１（図７参照）と螺合する板状の四角ナット３２をその内部に有している。
【００３８】
したがって、基板固定部材３０は、側壁部１１、１２の係合部１１ｍ、１２ｍに係合された状態において、雄ネジＢ１と四角ナット３２とにより、係合部１１ｍ、１２ｍの下側挟持片１１１ｄおよび１１２ｄが挟み付けられることにより側壁部１１、１２に取り付けられる。
【００３９】
また、図４（Ａ）および（Ｂ）に示すように、基体部３１において、取付部３７、３９が形成された左側（矢印ａ方向）の端部とは反対側の右側（矢印ｂ方向）の端部に、右側（矢印ｂ方向）へ突出した矩形状の部分である突出部４１、４３を備えている。
【００４０】
突出部４１、４３には、互いの開口が対向した凹溝をそれぞれ有する切欠部分４１ｃ、４３ｃが形成されており、その切欠部分４１ｃ、４３ｃの凹溝に電源基板２２の一端側または他端側の端部（角部）がそれぞれ係合されて挟持される。
【００４１】
すなわち、切欠部分４１ｃ、４３ｃの凹溝における奥行方向（矢印ｃｄ方向）の幅ｗ１は、電源基板２２の短手方向における幅ｗ２よりも僅かに大きく、かつ、切欠部分４１ｃ、４３ｃの凹溝における上下方向（矢印ｅｆ方向）の高さｈ１は、電源基板２２の高さ（厚み）ｈ２よりも僅かに大きい。
【００４２】
＜動作および効果＞
以上の構成において、図５に示すように、電源基板２２は、ヘッドボックス本体１０における側壁部１１、１２の係合部１１ｍ、１２ｍに係合された２つの基板固定部材３０が互いに向かい合った状態の中央に配置される。
【００４３】
図６に示すように、その２つの基板固定部材３０の突出部４１、４３に形成された切欠部分４１ｃ、４３ｃの凹溝に電源基板２２の一端側の端部および他端側の端部が係合される。
【００４４】
すなわち、２つの基板固定部材３０により電源基板２２の一端側および他端側の端部が突出部４１、４３の切欠部分４１ｃ、４３ｃの凹溝に差し込まれた状態で保持される（図６）。
【００４５】
図３および図７に示すように、電源基板２２が２つの基板固定部材３０により保持された状態においては、基板固定部材３０における被係合部３３、３５が、ヘッドボックス本体１０の側壁部１２の係合部１２ｍ、および、側壁部１１の係合部１１ｍと係合される。
【００４６】
具体的には、被係合部３３、３５が、係合部１２ｍおよび係合部１１ｍの上側挟持片１１２ｕおよび１１１ｕと当接するとともに、被係合部３３、３５の被係合突起３３ｐ、３５ｐが下側挟持片１１２ｄおよび１１１ｄの係合片１１２ｄｔおよび１１１ｄｔと係合される。
【００４７】
その後、基板固定部材３０は、ヘッドボックス本体１０の側壁部１１、１２の長手方向における任意の位置に位置決めされた状態で、取付部３７、３９の四角ナット３２、および、雄ネジＢ１により取り付け固定される。
【００４８】
すなわち、ヘッドボックス本体１０の側壁部１１、１２において、基板固定部材３０は取付部３７、３９の四角ナット３２、および、雄ネジＢ１により側壁部１１、１２の長手方向（矢印ａｂ方向）の任意の位置で取り付けられることが可能となる。すなわち、基板固定部材３０および側壁部１１、１２の係合部１１ｍ、１２ｍにより、電源基板２２をヘッドボックス本体１０に固定する基板固定構造を形成している。
【００４９】
このとき、電源基板２２は基板固定部材３０を介して電子部品の面（搭載面）２２ｕがヘッドボックス本体１０の凹空間ＳＰを向いた状態で取り付けられる。これにより、ヘッドボックス１は、電源基板２２の電子部品をヘッドボックス本体１０から露出することを防止し、電源基板２２の電子部品が搭載されていない面２２ｄ（図１参照。）だけを露出し、凹空間ＳＰに対する蓋の役割を電源基板２２に持たせることができる。
【００５０】
さらに、ヘッドボックス１は、基板固定部材３０を介して電源基板２２をヘッドボックス本体１０の凹空間ＳＰに対する蓋の代わりとして用いている。このため、ヘッドボックス１では、電源基板２２を交換または修理等する際に、凹空間ＳＰの内部に収容されたモータ２６のシャフト２８を取り外す必要がなく容易に取り外すことができ、従来に比してメンテナンス性を格段に向上させることができる。
【００５１】
＜第２の実施の形態＞
図４（Ａ）および（Ｂ）との対応部分に同一符号を付した図８（Ａ）および（Ｂ）に示すように、第２の実施の形態における基板固定部材５０は、基板固定部材３０の基体部３１とほぼ同様の全体構成を有する基体部５１と、基体部５１の長手方向である奥行方向（矢印ｃｄ方向）の両側端部に設けられ、側壁部１１、１２の係合部１１ｍ、１２ｍに係合される被係合部３３および３５を備えている。この被係合部３３および３５は、第１の実施の形態における基板固定部材３０と同一の構造を有しているので、ここでは説明を省略する。
【００５２】
また、基体部５１は、長手方向である奥行方向（矢印ｃｄ方向）の両側端部であって、被係合部３３、３５よりも内側の領域に挿通孔３１ｈ、３１ｈがそれぞれ形成された取付部３７、３９を有している。これら取付部３７、３９においても、第１の実施の形態における基板固定部材３０と同一の構造を有しているので、ここでは説明を省略する。
【００５３】
また、基体部５１において、取付部３７、３９が形成された左側（矢印ａ方向）の端部とは反対側の右側（矢印ｂ方向）の端部には、更に右側（矢印ｂ方向）へ突出した矩形状の突出部６３、６５を備えている。
【００５４】
突出部６３、６５には、互いの開口が対向した第１の凹溝をそれぞれ有する切欠部分６３ｃ、６５ｃが形成されるとともに、その切欠部分６３ｃ、６５ｃよりも所定の距離だけ上側（矢印ｅ方向）へ離間した位置に、互いの開口が対向した第２の凹溝（第２の凹溝の幅＞第１の凹溝の幅）をそれぞれ有する切欠部分６３ｋ、６５ｋが形成されている。
【００５５】
切欠部分６３ｃ、６５ｃによる第１の凹溝に対する奥行方向（矢印ｃｄ方向）の幅は、第１の大きさに対応した電源基板２２ａの短手方向における幅よりも僅かに大きく、かつ、切欠部分６３ｃ、６５ｃによる第１の凹溝に対する上下方向（矢印ｅｆ方向）の高さは、電源基板２２ａの高さよりも僅かに大きい。
【００５６】
また、切欠部分６３ｋ、６５ｋによる第２の凹溝に対する奥行方向（矢印ｃｄ方向）の幅は、第２の大きさに対応した他の電源基板２２ｂの短手方向における幅よりも僅かに大きく、かつ、切欠部分６３ｋ、６５ｋによる第２の凹溝に対する上下方向（矢印ｅｆ方向）の高さは、電源基板２２ｂの高さよりも僅かに大きい。
【００５７】
この基体部５１においては、第１の大きさに対応した電源基板２２ａを挟持可能な第１の凹溝の上側（矢印ｅ方向）に、第２の大きさに対応した電源基板２２ｂを挟持可能な第２の凹溝が配置されており、上下方向において異なる２種類の幅の基板を同時に保持可能である。
【００５８】
この場合、ヘッドボックス本体１０においては、基板固定部材５０により電源基板２２ａの電子部品搭載面と電源基板２２ｂの電子部品搭載面とを互いに対向させた状態で取り付けることにより、凹空間ＳＰに対する蓋の役割を電源基板２２ａ、２２ｂに持たせることができるとともに、電子部品をダスト等に曝し難くすることができる。
【００５９】
さらに、基板固定部材５０を介して電源基板２２ａ、２２ｂをヘッドボックス本体１０の凹空間ＳＰに対する蓋の代わりとして用いているため、電源基板２２ａ、２２ｂを交換または修理等する際に、凹空間ＳＰの収容されたモータ２６のシャフト２８を取り外す必要がなく、従来に比してメンテナンス性を格段に向上させることができる。
【００６０】
＜第３の実施の形態＞
図４（Ａ）および（Ｂ）との対応部分に同一符号を付した図９に示すように、第３の実施の形態における基板固定部材７０は、平面視略Ｉ字形状を有する基体部７１と、基体部７１の長手方向である奥行方向（矢印ｃｄ方向）の両側端部には、側壁部１１、１２の係合部１１ｍ、１２ｍに係合される被係合部３３および３５を備えている。この被係合部３３および３５は、第１の実施の形態における基板固定部材３０と同一の構造を有しているので、ここでは説明を省略する。
【００６１】
また、基体部７１は、その長手方向であり奥行方向となる矢印ｃｄ方向（ヘッドボックス本体１０では短手方向）の両側端部であって、被係合部３３、３５よりも内側の領域に挿通孔３１ｈ、３１ｈがそれぞれ形成された取付部３７、３９を有している。取付部３７、３９は、挿通孔３１ｈ、３１ｈを介して挿通される雄ネジＢ１（図７参照）と螺合する四角ナット３２をその内部に有している。
【００６２】
基体部７１の奥側（矢印ｃ方向）および手前側（矢印ｄ方向）の端部には、左側（矢印ａ方向）へ突出した矩形状の突出部７２、７３と、右側（矢印ｂ方向）へ突出した矩形状の突出部７６、７７を備えている。
【００６３】
突出部７２、７３には、互いの開口が対向した第１の凹溝をそれぞれ有する切欠部分７２ｃ、７３ｃが形成されており、その切欠部分７２ｃ、７３ｃによる第１の凹溝に電源基板２２ａの一端側または他端側の端部（角部）がそれぞれ係合されて挟持される。
【００６４】
すなわち、切欠部分７２ｃ、７３ｃによる第１の凹溝における奥行方向（矢印ｃｄ方向）の幅は、電源基板２２ａの短手方向における幅よりも僅かに大きく、かつ、切欠部分７２ｃ、７３ｃによる第１の凹溝における上下方向（矢印ｅｆ方向）の高さは、電源基板２２ａの高さ（厚み）よりも僅かに大きい。
【００６５】
突出部７６、７７には、互いの開口が対向した第２の凹溝をそれぞれ有する切欠部分７６ｃ、７６ｃが形成されており、その切欠部分７６ｃ、７７ｃによる第２の凹溝に電源基板２２ｂの一端側または他端側の端部がそれぞれ係合されて挟持される。
【００６６】
すなわち、切欠部分７６ｃ、７６ｃによる第２の凹溝における奥行方向（矢印ｃｄ方向）の幅は、電源基板２２ｂの短手方向における幅よりも僅かに大きく、かつ、切欠部分７６ｃ、７７ｃによる第２の凹溝における上下方向（矢印ｅｆ方向）の高さは、電源基板２２ｂの高さ（厚み）よりも僅かに大きい。ここで、電源基板２２ｂは、その幅および厚みにおいて電源基板２２ａよりも大きい。
【００６７】
すなわち、基板固定部材７０は、基体部７１の左側（矢印ａ方向）において突出部７６、７７により電源基板２２ｂを保持することができるとともに、基体部７１の右側（矢印ｂ方向）において突出部７２、７３により電源基板２２ａを保持することができる。
【００６８】
この場合、基板固定部材７０では、基体部７１の左右両側で互いに幅が異なる電源基板２２ａおよび電源基板２２ｂを同時に保持する場合、１つの基板固定部材７０を左右両側用に兼用させることができるので、ヘッドボックス本体１０に取り付ける際に省スペース化を図ることができる。
【００６９】
＜第４の実施の形態＞
図４（Ａ）および（Ｂ）との対応部分に同一符号を付した図１０に示すように、第４の実施の形態における基板固定部材９０は、平面視長方形状を有する基体部９１と、基体部９１の長手方向である奥行方向（矢印ｃｄ方向）の両側端部には、側壁部１１、１２の係合部１１ｍ、１２ｍに係合される被係合部３３および３５を備えている。この被係合部３３および３５は、第１の実施の形態における基板固定部材３０と同一の構造を有している。
【００７０】
また、基体部９１は、その長手方向であり奥行方向となる矢印ｃｄ方向（ヘッドボックス本体１０では短手方向）の両側であって、左側（矢印ａ方向）の端部には、被係合部３３、３５よりも内側の領域に挿通孔３１ｈ、３１ｈがそれぞれ形成された取付部３７、３９を有している。
【００７１】
基体部９１の右側（矢印ｂ方向）の端部中央部分には、基体部９１の表面９１ａから多角形状（この場合、五角形状）に凹んだ開口凹部９２が形成されており、その開口凹部９２の周囲には同様の形状を有する凹溝９３が形成されている。凹溝９３は、基体部９１が開口凹部９２から切り欠かれて形成された凹状空間である。
【００７２】
凹溝９３は、奥行方向（矢印ｃｄ方向）に沿って平行な正面壁部９３ａ、左右方向（矢印ａｂ方向）に沿って互いに平行な側面壁部９３ｂ、９３ｃ、正面壁部９３ａと側面壁部９３ｂ、９３ｃとを斜めに繋ぐ斜面壁部９３ｄ、９３ｅによって画成されている。
【００７３】
正面壁部９３ａは、奥行方向（矢印ｃｄ方向）の幅が最小（Min）となる電源基板２２ｘminと同じ長さである。側面壁部９３ｂと側面壁部９３ｃとの間の距離は、奥行方向（矢印ｃｄ方向）の幅が最大（Max）となる電源基板２２ｘmaxと同じ長さである。
【００７４】
斜面壁部９３ｄ、９３ｅは、基体部９１および電源基板２２ｘの左右方向（矢印ａｂ方向）に沿った中心線Ｚを中心として対称となるように同一角度かつ同一長さに形成されている。
【００７５】
したがって、基板固定部材９０では、奥行方向（矢印ｃｄ方向）の幅が最小（Min）から最大（Max）となる範囲の電源基板２２ｘmin〜電源基板２２ｘmaxであれば、基体部９１の凹溝９３に差し込み可能である。
【００７６】
この場合、電源基板２２ｘが差し込まれると、凹溝９３を画成する斜面壁部９３ｄ、９３ｅに電源基板２２ｘの一方または他方の端部（角部）が衝突されるため、自動的に電源基板２２ｘが中心線ｚを中心とした中央位置に位置決めされる。
【００７７】
このように、第４の実施の形態における基板固定部材９０では、奥行方向（矢印ｃｄ方向）の幅が最小（Min）から最大（Max）までの範囲内の電源基板２２ｘmin〜電源基板２２ｘmaxを保持することができると共に、自動的に基体部９１の中央に配置されるようにセンタリングされるので、利便性が高い。
【００７８】
＜他の実施の形態＞
なお、上述した第１乃至第４の実施の形態においては、電源基板２２の左右方向（矢印ａｂ方向）における一方の端部および他方の端部を基板固定部材３０、５０、７０、９０において挟持することにより保持するようにした場合について述べた。しかしながら、本発明はこれに限らず、電源基板２２の奥行方向（矢印ｃｄ方向）における一方の端部および他方の端部を基板固定部材３０、５０、７０、９０において挟持することにより保持するようにしてもよい。
【００７９】
また、上述した第２の実施の形態においては、基体部５１における右側（矢印ｂ方向）の端部に、第１の凹溝を有する切欠部分６３ｃ、６５ｃが形成されるとともに、第２の凹溝を有する切欠部分６３ｋ、６５ｋが形成されることにより、２種類の幅の電源基板２２を挟持可能とするようにした場合について述べた。しかしながら、本発明はこれに限らず、基体部５１における左側（矢印ａ方向）の端部にも、第１の凹溝を有する切欠部分６３ｃ、６５ｃおよび第２の凹溝を有する切欠部分６３ｋ、６５ｋが形成されるようにしてもよい。
【００８０】
さらに、上述した第２の実施の形態においては、基体部５１における右側（矢印ｂ方向）の端部に、第１の凹溝、および、第２の凹溝が上下に配置されるように形成した場合について述べた。しかしながら、本発明はこれに限らず、基体部５１における左側（矢印ａ方向）の端部、または左側（矢印ａ方向）の端部と右側（矢印ｂ方向）の端部の双方に、３層以上の凹溝が上下に配置されるように形成してもよい。
【００８１】
さらに、上述した第４の実施の形態においては、基体部９１における右側（矢印ｂ方向）の開口凹部９２の周囲に凹溝９３を形成するようにした場合について述べた。しかしながら、本発明はこれに限らず、開口凹部９２を設けることなく、凹溝９３だけを形成するようにしてもよい。
【００８２】
さらに、上述した第４の実施の形態においては、基体部９１における右側（矢印ｂ方向）の端部に開口凹部９２および凹溝９３を形成するようにした場合について述べた。しかしながら、本発明はこれに限らず、基体部９１における左側（矢印ａ方向）の端部、または左側（矢印ａ方向）の端部と右側（矢印ｂ方向）の端部の双方に、開口凹部９２および凹溝９３を形成するようにしてもよい。
【００８３】
さらに、上述した第４の実施の形態においては、基体部９１における右側（矢印ｂ方向）の開口凹部９２の周囲に凹溝９３を形成するようにした場合について述べた。しかしながら、本発明はこれに限らず、開口凹部９２を設けることなく、少なくとも２種類の幅に対応した２種類の凹溝を上下に配置するように形成してもよい。
【００８４】
以上、本発明の好適な実施の形態について説明したが、本発明は上記の実施の形態に係るに限定されるものではなく、本発明の概念および特許請求の範囲に含まれるあらゆる態様を含む。また、上述した課題および効果の少なくとも一部を奏するように、各構成を適宜選択的に組み合わせてもよい。例えば、上記実施の形態における各構成要素の形状、材料、配置、サイズ等は、本発明の具体的使用態様によって適宜変更され得る。
【符号の説明】
【００８５】
１……ヘッドボックス、１０……ヘッドボックス本体、１１、１２……側壁部、１１ｍ、１２ｍ……係合部、１１１ｕ、１１２ｕ……上側挟持片、１１１ｄ、１１２ｄ……下側挟持片、１１１ｄｔ、１１２ｄｔ……係合片、１３……壁部、１４、１５……蓋部、３０、５０、７０、９０……基板固定部材、２１、２５、２７……巻取ドラム、２２、２２ａ、２２ｂ、２２ｘ……電源基板、２３……制御基板、２４……センサ部品、２６……モータ、２８……シャフト、３１、５１、７１、９１……基体部、３２……四角ナット、３３、３５……被係合部、３３ｐ、３５ｐ……被係合突起、３７、３９……取付部、４１、４３、６３、６５、７２、７３、７６、７７……突出部、４１ｃ、４３ｃ、６３ｃ、６５ｃ、６３ｋ、６５ｋ、７２ｃ、７３ｃ、７６ｃ、７７ｃ……切欠部分、９２……開口凹部、９３……凹溝、ＳＰ……凹空間。
【図１】
2019178543.tif 000003
【図２】
2019178543.tif 000004
【図３】
2019178543.tif 000005
【図４】
2019178543.tif 000006
【図５】
2019178543.tif 000007
【図６】
2019178543.tif 000008
【図７】
2019178543.tif 000009
【図８】
2019178543.tif 000010
【図９】
2019178543.tif 000011
【図１０】
2019178543.tif 000012